(57)【要約】【課題】肩掛け運搬具のベルト、叉はバンドの肩に掛かる荷重負担を緩和して肩への負担を軽減する肩ベルトに関する形状を問題にした。【解決手段】運搬具のベルトを肩パット部とベルト部に分割して肩パット部及びベルト部のクッション材に空気を充填し、肩パット部は人体の肩の傾斜に沿った形状とし、ベルト部は人体の側面に沿って湾曲させ、且つ底面部についてはラバープリントを施してベルトの肩部位置ずれを防止して肩に掛かる荷重負担を軽減させた。【選択図】図１
2007152070.tif 000002
【特許請求の範囲】
【請求項１】
肩掛け運搬具の肩ベルトにおいて、該肩ベルトは肩上面に掛かる肩パット部と、胸から脇にかかるベルト部Ａと、背中から脇にかけて掛かるベルト部Ｂとの３部材からなり、該３部材が、空気を充填した室を有するクッション材で形成されていることを特徴とする肩ベルト。
【請求項２】
気密性の膜に包括された１室または複数室の空気を充填した室からなるクッション室と、該クッション室を包括する伸縮性を有する高内部摩擦の弾性材料からなる袋状包部材とからなることを特徴とするエアークッション材。
【請求項３】
請求項２のエアークッション材を使用したことを特徴とする請求項１記載の肩ベルト。
【請求項４】
請求項２記載のエアークッション材を、湾曲性を有する弾性材料からなる表面材に接着もしくは縫合などの一体化手段により一体化した肩パット部を有することを特徴とする請求項１および請求項３記載の肩ベルト。
【請求項５】
平面形状が略半楕円形状をなし、請求項２記載の袋状包部材の底面部を首側部は薄く、腕の付け根側に向かって厚くなる形状に形成した請求項２のエアークッション材を肩パッドとして用いたことを特徴とする請求項１、請求項３および請求項４記載の肩ベルト。
【請求項６】
請求項５記載の肩パッドの特定形状に沿うように、片側上部は略三日月形をなして広く、胸部および背中側の下部はそれぞれ片側上部よりも狭くＹ型とし、胸部及び脇腹側へ所定の角度で湾曲した形状にし、且つ人体に接する該クッション材の包部材の袋状底面部は体の胸部及び背中側を薄く、体の脇腹側に向かって厚くなるように形成した請求項２記載のエアークッション材を、湾曲性を有する弾性材料からなる所要の長さの表面材に接着もしくは縫合などの一体化手段によって一体化したベルト部を有することを特徴とする請求項１、請求項３および請求項４記載の肩ベルト。
【請求項７】
請求項２記載のエアークッション材を、湾曲性を有する弾性材料からなる表面材に接着もしくは縫合などの一体化手段により一体化した肩パット部及びベルト部の一つ以上に脱着可能な連結具を装填して、肩パット部及びベルト部を脱着可能とし、肩パット部及びベルト部の単独使用も可能にしたことを特徴とする肩掛け運搬具の肩パッド部、ベルト部及び肩ベルト。
【請求項８】
肩パット部の表面材に貼り付け接着剤を有する生地の面ファスナーを接着し、運搬具用の肩ベルトを包括保持できるようにしたことを特徴とする請求項１，請求項３、請求項４，請求項５，請求項６記載の肩ベルト。
【請求項９】
請求項２のエアークッション材を、衣服の左右肩部内側に、貼り付け接着剤を有する生地で接着、又は衣服の左右肩部内側に装填生地材を袋状にして挿入して、肩パットとして装着することを特徴とする衣服。
【請求項１０】
底面部にラバープリント等の高摩擦材を用いたことを特徴とする請求項２のエアークッション材。
【請求項１１】
請求項２のクッション材、該クッション材を湾曲性を有する弾性材料からなる表面材に接着もしくは縫合などの一体化手段により一体化した肩パット部及びベルト部の少なくとも１つを装填した運搬具。
【発明の詳細な説明】
【技術分野】
【０００１】本発明は運搬具のベルト、叉はバンドによって肩に掛かる重さを緩和して肩への負担を軽減する肩ベルトに関する。
【背景技術】
【０００２】従来の肩に掛かる重さを緩和して肩に負担を軽減することを目的とした肩ベルトには空気と弾力材を施したものがある（例えば特許文献１参照）。【０００３】しかし、この肩ベルトの空気充填部はサーマルポリウレタン樹脂をシールし、多数凸部を有したパネル形状でマトリックス状となっているが、人体の肩部形状は首部から腕の付け根の肩先に向かって下り傾斜となっており、肩の一方に肩掛けベルトを掛けた際に運搬具は肩より外側斜め脇腹方向にあり、運搬具の重さで肩の傾斜に沿って首部から肩先に向かって滑りやすく、位置ずれ作用を起こしやすい形状になっており、したがって肩への荷重負担の軽減効果が解決されないことになる。
【特許文献１】特表２００３−５３４０２９号公報。
【発明の開示】
【発明が解決しようとする課題】
【０００４】そこで、肩ベルトが滑り、位置ずれを起こすことで、肩掛け運搬具の荷重を緩和しして、肩に負担を軽減する作用が解決されないこととなり、肩ベルトの滑りやすく位置ずれ作用を起こす問題の解決が求められていた。
【課題を解決するための手段】
【０００５】肩掛け運搬具の肩ベルトにおいて、該肩ベルトは肩上面に掛かる肩パット部と、胸から脇にかかるベルト部Ａと、背中から脇にかけて掛かるベルト部Ｂとの３部材からなり、該３部材が、空気を充填した室を有するクッション材で形成されていることを特徴とする肩ベルト。【０００６】上記課題を解決するために肩上面に掛かる肩パット部図１の１、胸から脇にかけて掛かるベルト部Ａ図１の２，背中から脇にかけて掛かるベルト部Ｂ図１の３との３部材からなり、該３部材に空気を充填した室をクッション材図２の９、図６の９とし、室における空気充填率を１０％から９５％好ましくは６５％として伸縮柔軟にする。【０００７】気密性の膜に包括された１室または複数室の空気を充填した室からなるクッション室と、該クッション室を包括する伸縮性を有する高内部摩擦の弾性材料からなる袋状包部材とからなることを特徴とするエアークッション材。【０００８】クッション材の空気は図２の９、図６の９の如く気密性の膜で包括されて保守され、該クッション室を包括する伸縮性を有する高内部摩擦の弾性材料図２の８、図６の１１からなる袋状包部材で図４、図８の如く袋状に包括されたエアークッション材を形成し、室は１室が望ましいが肩パット部図１の１、及びベルト部Ａ図１の２，ベルト部Ｂ図１の３の大きさの形状によっては複数の室に形成しても良い。【０００９】請求項２のエアークッション材を使用したことを特徴とする請求項１記載の肩ベルト。【００１０】エアークッション材図４、図８、における空気室図４の９、及び図８の９の空気充填率を１０％から９５％好ましくは６５％として伸縮柔軟にした、３部材から構成された肩ベルト。【００１１】請求項２記載のエアークッション材を、湾曲性を有する弾性材料からなる表面材に接着もしくは縫合などの一体化手段により一体化した肩パット部を有することを特徴とする請求項１および請求項３記載の肩ベルト。【００１２】肩ベルトにおける肩パット部図１の１に湾曲性を有する弾力材料からなる表面材図２の７、図３に伸縮性を有するエアークッション材図４を図５の如く接着、縫合により一体化する。【００１３】平面形状が略半楕円形状をなし、請求項２記載の袋状包部材の底面部を首側部は薄く、腕の付け根側に向かって厚くなる形状に形成した請求項２のエアークッション材を肩パット部として用いたことを特徴とする請求項１、請求項３および請求４記載の肩ベルト。【００１４】一体化された肩パット部図１の１の平面形状は略半楕円形図３を有し、伸縮性を有する弾力材料からなる袋状包部材図２の８、の底面部は図４の如く、首部側を１ｍｍから１０ｍｍ好ましくは５ｍｍと薄く、腕の付け根側に向かって１０ｍｍから５０ｍｍ好ましくは３０ｍｍと厚くする。【００１５】請求項５記載の肩パッドの特定形状に沿うように、片側上部は略三日月形をなして広く、胸部および背中側の下部はそれぞれ片側上部よりも狭くＹ型とし、胸部及び脇腹側へ所定の角度で湾曲した形状にし、且つ人体に接する該クッション材の包部材の袋状底面部は体の胸部及び背中側を薄く、体の脇腹側に向かって厚くなるように形成した請求項２記載のエアークッション材を、湾曲性を有する弾性材料からなる所要の長さの表面材に接着もしくは縫合などの一体化手段によって一体化したベルト部を有することを特徴とする請求項１、請求項３および請求項４記載の肩ベルト。【００１６】肩ベルトにおけるベルト部は湾曲性を有する弾力材料からなる所要の長さを有する表面材図７、伸縮性を有する弾力材料からなる包部材図６の１１、空気を充填したクッション材図６の９、の各部材で構成され、且つ図９如く接着、接着もしくは縫合などの一体化手段によって一体化され、形状は肩パット部の特定形状に沿うように肩側上部は略三日月形図７のａを有して広く、胸部及び背中側の下部は肩側上部より狭くＹ型とし、胸部及び背中側から脇腹側へ所定の角度で湾曲された形状図７のｂとし、人体に接する包部材の袋状底面部図６の１１は図８の如く体の胸部及び、背中側を１ｍｍから１０ｍｍ好ましくは５ｍｍと薄く、体の脇腹側に向かって１０ｍｍから５０ｍｍ好ましくは３０ｍｍと厚くする。【００１７】請求項２記載のエアークッション材を、湾曲性を有する弾性材料からなる表面材に接着もしくは縫合などの一体化手段により一体化した肩パット部及びベルト部の１つ以上に脱着可能な連結具を装填して、肩パット部及びベルト部を脱着可能とし、肩パット部及びベルト部の単独使用も可能にしたことを特徴とする肩掛け運搬具の肩パッド部、ベルト部及び肩ベルト。【００１８】肩ベルトにおけるエアークッション材図４、及び図８は湾曲性を有する弾力材料からなる表面材図５、及び図９の如く接着、縫合により一体化した肩パット部図１の１、ベルト部Ａ図１の２，ベルト部Ｂ図１の３の３部材の１つ以上に、脱着可能な連結具図１の４を装填して、脱着を自在とし、単独使用を可能にする。【００１９】肩パット部の表面材に貼り付け接着剤を有する生地の面ファスナーを接着し、運搬具用の肩ベルトを包括保持できるようにしたことを特徴とする請求項１，請求項３、請求項４，請求項５，請求項６記載の肩ベルト。【００２０】肩パット部の表面材図３に貼り付け接着材を有する生地で面ファスナー図１１の１２を接着し、図１２の使用例の如く、厚みがある運搬具用ベルト、又は幅の広いベルトも包括保持して、所定の位置に確保維持をする。【００２１】請求項２のエアークッション材を、衣服の左右肩部内側に、貼り付け接着剤を有する生地で接着、又は衣服の左右肩部内側に装填生地材を袋状にして挿入して、肩パットとして装着することを特徴とする衣服。【００２２】肩パット部のエアークッション材図４を、衣服の左右肩部内側に、貼り付け接着剤を有する生地図１３の１２で接着し、又は衣服の左右肩部内側に装填生地材を接着、縫合により袋状にして、パット部のエアークッション材図４を挿入し、肩パット図１３として図１４の如く装着した衣服。【００２３】底面部にラバープリント等の高摩擦材を用いたことを特徴とする請求項２のエアークッション材。【００２４】エヤークッション材図４及び図８における底面部にラバープリント等の高摩擦材を施し、滑り止めとする。【００２５】請求項２のエアークッション材、該クッション材を湾曲性を有する弾性材料からななる表面材に接着もしくは縫合などの一体化手段により一体化した肩パット部及びベルト部の少なくとも１つ以上を装填した運搬具。【００２６】エアークッション材図４、及び図８，該クッション材図２の９及び図６の９を湾曲性を有する弾性材料からなる表面材図３、及び図７に接着もしくは縫合などの一体化手段により一体化した肩パット部図１の１，ベルト部図１の２，及び図１の３の１つ以上を装填した肩掛け運搬具。
【発明の効果】
【００２７】本発明は肩上面に掛かる肩パット部図１の１、胸から脇にかけて掛かるベルト部Ａ図１の２，背中から脇にかけて掛かるベルト部Ｂ図１の３との３部材からなり、該３部材に空気を充填した室をクッション材図２の９、図６の９とし、室における空気充填率を１０％から９５％好ましくは６５％として伸縮柔軟にすることにより、人体の肩の形状に沿い運搬具の荷重による肩への負担を軽くする効果が得られた。【００２８】本発明のクッション材の空気は図２の９，図６の９の如く高密度ポリウレタン等の機密性の膜材で包括されて保守され、且つ伸縮性を有する高内部摩擦の弾力材料からなる袋状包部材図２の７、図６の１１により図４、図８の如く袋状に二重に包括されることでエアークッション材における空気の保守効果がより得られた。空気室は１室が望ましいが肩パット部図１の１、ベルト部Ａ図１の２及びベルト部Ｂ図１の３の大きさの形状によっては複数の室に形成しても良い。【００２９】本発明のクッション材図２の９，図３の９を使用した肩ベルトの形状図１はランドセル、鞄、リュッサク等の肩掛け運搬具の荷重による肩への負担を軽くする効果が得られた。【００３０】本発明の肩ベルトにおける肩パット部図１の１に湾曲性を有する弾力材料からなる表面材図２の７、図３に伸縮性を有するエアークッション材図４を図５の如く接着、縫合により一体化することにより、エアークッション材の肩上部形状が安定した。【００３１】本発明の一体化された肩パット部図１の１の平面形状は略半楕円形図３を有し、伸縮性を有する弾力材料からなる袋状包部材図２の８、の底面部は図４の如く、首部側を１ｍｍから１０ｍｍ好ましくは５ｍｍと薄く、腕の付け根側に向かって１０ｍｍから５０ｍｍ好ましくは３０ｍｍと厚くした形状にすることにより、人体の肩の形状に肩パット部底面が沿い、運搬具の荷重による肩滑りが防止され、重量が軽く感じられる効果が得られた。【００３２】本発明の肩ベルトにおけるベルト部は湾曲性を有する弾力材料からなる所要の長さを有する表面材図７、伸縮性を有する弾力材料からなる包部材図６の１１、空気を充填したクッション材図６の９、の各部材で構成され、且つ図９如く接着、接着もしくは縫合などの一体化手段によって一体化され、形状は肩パット部の特定形状に沿うように肩側上部は略三日月形図７のａを有して広く、胸部及び背中側の下部は肩側上部より狭くＹ型とし、胸部及び背中側から脇腹側へ所定の角度で湾曲された形状図７のｂとし、人体に接する包部材の袋状底面部図６の１１は図８の如く体の胸部、及び背中側を１ｍｍから１０ｍｍ好ましくは５ｍｍと薄く、体の脇腹側に向かって１０ｍｍから５０ｍｍ好ましくは３０ｍｍと厚くする形状にすることによりベルト部図１の２、図１の３は体の側面への移動ずれが解消される効果が得られた。【００３３】本発明の肩ベルトにおけるエアークッション材図４、及び図８は湾曲性を有する力材料からなる表面材図５、及び図９の如く接着、縫合により一体化した肩パット部図１の１、ベルト部Ａ図１の２，ベルト部Ｂ図１の３の３部材の１つ以上に、脱着可能な連結具図１の４を装填して、脱着を自在に単独使用が可能になり、鞄、ランドセル、スポーツバック、リュックサック、クーラーボックス等の各種肩掛け運搬具と連結することにより、ベルトの肩への負担を軽減する効果が得られた。【００３４】本発明の肩パット部の表面材図３に貼り付け接着材を有する生地で面ファスナー図１１の１２を接着し、図１２の使用例の如く、厚みがある運搬具用ベルト、又は幅の広いベルトも包括保持して、所定の位置に確保維持を可能にし、肩掛け運搬具ベルトにおける、厚い形状のベルト、又は幅広いベルトも位置ずれすることもなく包括保持することで、鞄、ランドセル、スポーツバック、リュックサック、クーラーボックス等の各種肩掛け運搬具のベルトに対応して使用でき、ベルトの肩への負担を軽減する効果が得られた。【００３５】本発明のエアークッション材図８を、衣服の左右肩部内側に、貼り付け接着剤を有する生地図１３の１２で接着し、又は衣服の左右肩部内側に装填生地材を接着、縫合により袋状にしてエアークッション材図８を挿入し、肩パット図１４として装着した衣服は衣服上着の肩部ラインを保つと共に、肩掛け運搬具を衣服の上から掛けても重量負担の圧迫感もなく、ベルトの肩滑りによる位置ずれもしない。【００３６】本発明のエヤークッション材図４及び図８における底面部にラバープリント等の高摩擦材を施すことで、肩部の滑り止めの効果がより得られた。
【発明を実施するための最良の形態】
【００３７】肩上面に掛かる肩パット部図１の１、胸から脇にかけて掛かるベルト部Ａ図１の２背中から脇にかけて掛かるベルト部Ｂ図１の３との３部材からなり、該３部材に空気を充填した室をクッション材図２の９、図６の９とし、室における空気充填率を１０％から９５％好ましくは６５％として伸縮柔軟にすることにより、人体の肩の形状に沿って肩を包み込み空気クッションとの接点は肩に心地よく感じる。【００３８】クッション材の空気は図２の９，図６の９の如く高密度ポリウレタン等の機密性の膜材で包括されて保守され、且つ伸縮性を有する高内部摩擦の弾力材料からなる袋状包部材図２の８、図６の１１により図４、図８の如く袋状に二重に包括されることでエアークッション材における空気の保守効果がより得られた。空気室は１室が望ましいが肩パット部図１の１、ベルト部Ａ図１の２及びベルト部Ｂ図１の３の大きさの形状によっては複数の室に形成しても良い。【００３９】クッション材図２の９，図３の９を使用した肩ベルトの形状図１の形状を有することで、ランドセル、鞄、リュッサク等の肩掛け運搬具の荷重による肩への負担を軽くする形状となった。【００４０】肩ベルトにおける肩パット部図１の１に湾曲性を有する弾力材料からなる表面材図２の７、図３に伸縮性を有するエアークッション材図４を図５の如く接着縫合によ、り一体化することにより、エアークッション材の肩上部形状が安定する。【００４１】一体化された肩パット部図１の１の平面形状は略半楕円形図３を有し、伸縮性を有する弾力材料からなる袋状包部材図２の８、の底面部は図４の如く、首部側を１ｍｍから１０ｍｍ好ましくは５ｍｍと薄く、腕の付け根側に向かって１０ｍｍから５０ｍｍ好ましくは３０ｍｍと厚くした形状にすることにより、人体の肩の形状に肩パット部底面が沿い、運搬具の荷重による肩滑りが防止される。【００４２】肩ベルトにおけるベルト部は湾曲性を有する弾力材料からなる所要の長さを有する表面材図７、伸縮性を有する弾力材料からなる包部材図６の１１、空気を充填したクッション材図６の９、の各部材で構成され、且つ図９如く接着、接着もしくは縫合などの一体化手段によって一体化され、形状は肩パット部の特定形状に沿うように肩側上部は略三日月形図７のａを有して広く、胸部及び背中側の下部は肩側上部より狭くＹ型とし、胸部及び背中側から脇腹側へ所定の角度で湾曲された形状図７のｂとし、人体に接する包部材の袋状底面部図６の１１は図８の如く体の胸部、及び背中側を１ｍｍから１０ｍｍ好ましくは５ｍｍと薄く、体の脇腹側に向かって１０ｍｍから５０ｍｍ好ましくは３０ｍｍと厚くする。形状にすることによりベルト部図１の２、図１の３は体の側面への移動ずれが解消される。【００４３】肩ベルトにおけるエアークッション材図４、及び図８は湾曲性を有する力材料からなる表面材図５、及び図９の如く接着、縫合により一体化した肩パット部図１の１、ベルト部Ａ図１の２，ベルト部Ｂ図１の３の３部材の１つ以上に、脱着可能な連結具図１の４を装填して、脱着を自在に単独使用が可能になり、各種肩掛け運搬具と連結することにより、利用範囲が広がる。【００４４】肩パット部の表面材図３に貼り付け接着材を有する生地で面ファスナー図１１の１２を接着し、図１２の使用例の如く、厚みがある運搬具用ベルト、又は幅の広いベルトも包括保持して、所定の位置に確保維持を可能にし、肩掛け運搬具ベルトにおける、厚い形状のベルト、又は幅広いベルトも位置ずれすることもなく包括保持することで、各種肩掛け運搬具のベルトに対応して使用できる。【００４５】肩パット部のエアークッション材図８を、衣服の左右肩部内側に、貼り付け接着剤を有する生地図１３の１２で接着し、又は衣服の左右肩部内側に装填生地材を接着、縫合により袋状にして、肩パット部のエアークッション材図８を挿入し、肩パット図１３として装着した衣服図１４は衣服上着の肩部ラインを保つと共に、肩掛け運搬具を衣服の上から掛けても荷重負担の圧迫感がない。【００４６】エヤークッション材図４及び図８における底面部にラバープリント等の高摩擦材を施すことで、肩部の滑り止めの効果がより得られ、ラバープリント等でオリジナルの図形や文字を描いても良い。
【実施例】
【００４７】鞄の中に１０Ｋ強の重量物を入れて肩ベルトを装填して肩にかけたところ肩に掛かる荷重負担を直接感じることはなかった。又肩パット部は肩に形状に沿って肩から滑り落ちることはなかった。【００４８】肩パット部にスポーツバッグの厚みのあるベルトや幅の広いキャディバッグのベルトを面ファスナーで挟み込み使用することができ、所定の位置から移動することもなく肩に心地よくフィットした。【００４９】肩パット部を学生服の肩部パットをはずして取り付け使用したところデザイン的には肩の形状が維持でき、学生鞄に本をかなり入れて肩にかけたところ肩に食い込む感じがなく、むしろ学生鞄が軽くなった感じを体感した。【００５０】肩パット部胸パット部は体に沿った形となり肩からベルトが移動ずれることもなく、又底面部のラバープリントの肩への違和感もなかった。
【産業上の利用可能性】
【図面の簡単な説明】
【００５１】
【図１】全体図
【図２】肩パット部、部材構成図
【図３】肩パット部、平面図
【図４】肩パット部、エヤークッション材図
【図５】肩パット部、一体化構成図
【図６】ベルト部、部材構成図
【図７】ベルト部、平面図
【図８】ベルト部、エヤークッション材図
【図９】ベルト部、一体化構成図
【図１０】肩ベルト使用図
【図１１】肩パット部、面ファスナー接着図
【図１２】肩パット部、面ファスナー使用図
【図１３】肩パット部のエヤークッション材の肩パット図
【図１３】エヤークッション材パットの衣服肩部内使用例図
【符号の説明】
１  肩パット部
２  ベルト部Ａ
３  ベルト部Ｂ
４  肩パット部、ベルト部脱着可能連結具
５  ベルト部長さ調整具
６  ベルト部運搬具連結具
７  肩パット部表面材
８  肩パット部クッション材包部材
９  肩パット部クッション材
１０  ベルト部表面材
１１  ベルト部クッション材包部材
１２  接着面ファスナー
【図１】
2007152070.tif 000003
【図２】
2007152070.tif 000004
【図３】
2007152070.tif 000005
【図４】
2007152070.tif 000006
【図５】
2007152070.tif 000007
【図６】
2007152070.tif 000008
【図７】
2007152070.tif 000009
【図８】
2007152070.tif 000010
【図９】
2007152070.tif 000011
【図１０】
2007152070.tif 000012
【図１１】
2007152070.tif 000013
【図１２】
2007152070.tif 000014
【図１３】
2007152070.tif 000015
【図１４】
2007152070.tif 000016
【手続補正書】
【提出日】平成18年2月6日(2006.2.6)
【手続補正２】
【補正対象書類名】明細書
【補正対象項目名】００５１
【補正方法】変更
【補正の内容】
【００５１】
【図１】全体図
【図２】肩パット部、部材構成図
【図３】肩パット部、平面図
【図４】肩パット部、エアークッション材図
【図５】肩パット部、一体化構成図
【図６】ベルト部、部材構成図
【図７】ベルト部、平面図
【図８】ベルト部、エアークッション材図
【図９】ベルト部、一体化構成図
【図１０】肩ベルト使用図
【図１１】肩パット部、面ファスナー接着図
【図１２】肩パット部、面ファスナー使用図
【図１３】肩パット部のエアークッション材の肩パット図
【図１４】エアークッション材パットの衣服肩部内使用例図